(57)【要約】【課題】大型化することを抑制しつつ、気流の到達距離の向上を図ることができる送風機を得ること。【解決手段】送風機は、吸込口と吹出口とを結んで第１の方向に延びる複数の風路が、第１の方向と垂直な第２の方向に並べて形成された箱状の筐体１と、風路の各々に設けられ、吸込口から吹出口へ向かう気流を風路内に発生させる羽根車が取り付けられた電動機と、を備える。吹出口は、第２の方向に沿って延びて複数の風路に跨るとともに、第１の方向と第２の方向とに垂直な第３の方向に間隔を空けて複数列に並行して形成される。電動機は、羽根車を第１の方向と平行な回転軸を中心に第１の回転方向に回転させる第１の電動機と、羽根車を第１の回転方向とは逆向きの第２の回転方向に回転させる第２の電動機と、を備える。【選択図】図４
2020101119.tif 000002
【特許請求の範囲】
【請求項１】
吸込口と吹出口とを結んで第１の方向に延びる複数の風路が、前記第１の方向と垂直な第２の方向に並べて形成された箱状の筐体と、
前記風路の各々に設けられ、前記吸込口から前記吹出口へ向かう気流を前記風路内に発生させる羽根車が取り付けられた電動機と、を備え、
前記吹出口は、前記第２の方向に沿って延びて前記複数の風路に跨るとともに、前記第１の方向と前記第２の方向とに垂直な第３の方向に間隔を空けて複数列に並行して形成され、
前記電動機は、前記羽根車を前記第１の方向と平行な回転軸を中心に第１の回転方向に回転させる第１の電動機と、前記羽根車を前記第１の回転方向とは逆向きの第２の回転方向に回転させる第２の電動機と、を備えること、
を特徴とする送風機。
【請求項２】
前記第１の電動機と前記第２の電動機とが、前記第２の方向において隣り合っていること、
を特徴とする請求項１に記載の送風機。
【請求項３】
前記羽根車は、前記第１の方向と平行な回転軸を有する軸流羽根車であること、
を特徴とする請求項１または２に記載の送風機。
【請求項４】
前記第３の方向において、複数の前記吹出口は、前記電動機の回転軸を挟んで互いに反対側に配置されていること、
を特徴とする請求項１から３のいずれか１つに記載の送風機。
【発明の詳細な説明】
【技術分野】
【０００１】
本発明は、空気を吹き出す送風機に関する。
【背景技術】
【０００２】
空調機の負荷を軽減することを目的として、帯状の空気流を発生させる送風機が用いられる場合がある。この場合、送風機から発生される帯状の空気流が建物の出入口を覆うように送風機を設置する。建物の出入口を覆う帯状の空気流は、建物の内部に外気が侵入することおよび建物の外部に室内空気が漏れることを防ぐエアーカーテンとして機能する。これにより、空調機の負荷が軽減される。特許文献１には、軸流羽根車を用いて帯状の空気流を発生させる送風機が開示されている。
【先行技術文献】
【特許文献】
【０００３】
【特許文献１】特開平６−３１３６０３号公報
【発明の概要】
【発明が解決しようとする課題】
【０００４】
建物の出入口は、建物の大きさまたは用途によって大型化する場合がある。例えば、食品を貯蔵する倉庫では、一度に多くの物を搬入出するために出入口の高さを高くする必要がある。出入口の上方に送風機を設置して、下方に向けて空気を吹き出させることで、帯状の気流で出入口を覆う場合には、気流を出入口の下方に到達させるためには、一般的には送風機から吹き出される気流の速度を大きくすることが行われる。送風機から吹き出される気流の速度を大きくするには、羽根車の回転数を大きくするか、または羽根車の外径を大きくする必要がある。
【０００５】
しかしながら、羽根車を回転させる電動機は、誘導電動機の場合は交流電源の周波数によって上限が定まってしまう場合があり、所望の回転数を得られない場合がある。また、ファンの高速化により騒音も増加する。このため、送風機から吹き出される気流の速度を大きくするために羽根車の回転数を大きくすることは好ましくない。また、羽根車の外径を大きくした場合には、送風機が大型化してしまう。
【０００６】
本発明は、上記に鑑みてなされたものであって、大型化することを抑制しつつ、気流の到達距離の向上を図ることができる送風機を得ることを目的としている。
【課題を解決するための手段】
【０００７】
上述した課題を解決し、目的を達成するために、本発明にかかる送風機は、吸込口と吹出口とを結んで第１の方向に延びる複数の風路が、第１の方向と垂直な第２の方向に並べて形成された箱状の筐体と、風路の各々に設けられ、吸込口から吹出口へ向かう気流を風路内に発生させる羽根車が取り付けられた電動機と、を備える。吹出口は、第２の方向に沿って延びて複数の風路に跨るとともに、第１の方向と第２の方向とに垂直な第３の方向に間隔を空けて複数列に並行して形成される。電動機は、羽根車を第１の方向と平行な回転軸を中心に第１の回転方向に回転させる第１の電動機と、羽根車を第１の回転方向とは逆向きの第２の回転方向に回転させる第２の電動機と、を備える。
【発明の効果】
【０００８】
本発明にかかる送風機によれば、大型化することを抑制しつつ、気流の到達距離の向上を図ることができる、という効果を奏する。
【図面の簡単な説明】
【０００９】
【図１】本発明の実施の形態１にかかる送風機を吸込口側から見た図
【図２】実施の形態１にかかる送風機の吸込口から吹出口に向かう方向と平行な断面図
【図３】実施の形態１にかかる送風機を吹出口側から見た図
【図４】実施の形態１にかかる送風機の吹出口から吹出す気流の模式図であり、（ａ）は送風機を吹出口側から見た図、（ｂ）は送風機をＺ方向における一方側から見た図
【図５】実施の形態１にかかる送風機をエアーカーテンに利用した場合の模式図
【図６】実施の形態１にかかる送風機を空気搬送に利用した場合の模式図
【図７】実施の形態１にかかる送風機をサーキュレーションに利用した場合の模式図
【図８】実施の形態１にかかる送風機を涼風の生成用に利用した場合の模式図
【発明を実施するための形態】
【００１０】
以下に、本発明の実施の形態にかかる送風機を図面に基づいて詳細に説明する。なお、この実施の形態によりこの発明が限定されるものではない。
【００１１】
実施の形態１．
図１は、本発明の実施の形態１にかかる送風機１００を吸込口２側から見た図である。図２は、実施の形態１にかかる送風機１００の吸込口２から吹出口３に向かう方向と平行な断面図である。図３は、実施の形態１にかかる送風機１００を吹出口３側から見た図である。なお、以下の説明において、吸込口２から吹出口３に向かう方向と平行な矢印Ｘに示す方向を設定する。また、矢印Ｘに示す方向と垂直な矢印Ｙに示す方向を設定する。また、矢印Ｘに示す方向と矢印Ｙに示す方向とに垂直な矢印Ｚに示す方向を設定する。矢印Ｘに示す方向は第１の方向であり、矢印Ｙに示す方向は第２の方向であり、矢印Ｚに示す方向は第３の方向である。図２は、矢印Ｙに示す方向に沿って送風機１００を見た断面図とも換言できる。本実施の形態１にかかる送風機１００は、大型化することを抑制しながら、吹出される帯状の気流の到達距離の向上を図っている。
【００１２】
［構成説明］
送風機１００は、外郭を形成する箱状の筐体１と、この筐体１内に設けられた送風ユニット８０とを備える。筐体１は、矢印Ｙに示す方向を長手方向とする直方体の箱状に形成されている。筐体１の内部には、吸込口２と吹出口３とを連通する複数の風路４が形成されている。風路４は、矢印Ｘに示す方向に沿って延びる。複数の風路４は、矢印Ｙに示す方向に等間隔に並べて形成される。風路４の形状は、円筒形状である。本実施の形態１では５つの風路４が形成された例を示しているが、風路４の数量はこれに限られず、４つ以下であってもよいし、６つ以上であってもよい。吸込口２から筐体１に取り込まれた空気は、各風路４に流入し、吹出口３から吹き出される。
【００１３】
各風路４内には、送風ユニット８０が設けられている。送風ユニット８０は、羽根車５と、羽根車５が取り付けられた電動機６とにより構成されている。羽根車５は、矢印Ｘに示す方向と平行な回転軸５１を中心に回転することで、風路４内に吸込口２から吹出口３に向かう気流を発生させる。電動機６は、回転軸５１を中心に羽根車５を回転させる。すなわち、回転軸５１は、羽根車５の回転軸であり、電動機６の回転軸である。電動機６は、図示は省略しているが、例えば羽根車５が接続される回転自在のシャフト、巻線が巻き付けられた固定子、シャフトに接続された回転子、シャフトを回転自在に支持する軸受などを有している。送風ユニット８０は、各風路４内に設けられて保持部１５に係止されている。保持部１５は、一端側が電動機６に接続され、他端側が各風路４に接続されている。
【００１４】
本実施の形態１で例示する羽根車５は、軸流羽根車である。すなわち、羽根車５は、電動機６のシャフトに接続されるボス部５２と、ボス部５２から放射状に延びるように形成されている複数の羽根部５３とを有しているものである。
【００１５】
吸込口２は、筐体１に対して矢印Ｙに示す方向に沿って延びており、複数の風路４に跨るように形成されている。風路４の壁面のうち、吸込口２側の端部から下流に向かう一定の区間には、上流側から下流側に向かうにしたがって縮径する縮径部２１Ａが形成されている。縮径部２１Ａは、ベルマウスとして機能する。なお、以下の説明において上流または下流という場合には、風路４における気流の流れを基準にした上流または下流を意味する。
【００１６】
吸込口２には、格子状に構成された保護ガード８が設けられている。保護ガード８は、各風路４内への異物侵入防止、指などが羽根に接触することによるけがの防止、および万が一羽根などの部品が外れた場合の部品の飛散防止を図るために設けられている。なお、本実施の形態１では、保護ガード８がワイヤを格子状に並べて構成されたものであるものとして説明するが、これに限定されるものではなく、網で構成されてもよいし、金属板材に複数の穴を形成して得られるパンチングメタルで構成されてもよい。網、パンチングメタルなどを用いて保護ガード８を構成しても、気流を通すことができ、上記した異物侵入防止、けがの防止、および羽根などの部品の飛散防止などを図ることができる。
【００１７】
吹出口３は、筐体１のうち吸込口２の形成面とは対向する側に形成されている。すなわち、吹出口３は、筐体１において、送風ユニット８０を挟んで矢印Ｘに示す方向における吸込口２の形成面とは反対側の面に形成されている。吹出口３は、矢印Ｙに示す方向に沿って延びる帯状に形成され、複数の風路４に跨って形成されている。すなわち、複数の風路４を通過した各々の気流は、吹出口３からまとめて帯状の気流となって吹き出される。筐体１には複数の吹出口３が形成され、吹出口３同士は互いに間隔を空けて矢印Ｚに示す方向に沿って並べて形成される。すなわち、吹出口３は、矢印Ｚに示す方向において間隔を空けて複数が並列して形成されている。なお、本実施の形態１では、吹出口３Ａと吹出口３Ｂとなる２つの吹出口３が筐体１に形成されている。吹出口３Ａと吹出口３Ｂとは、複数の回転軸５１を含む平面を挟んで対称に形成されている。すなわち、吹出口３Ａと吹出口３Ｂとは、電動機６の回転軸を挟んで互いに反対側に配置されている。
【００１８】
風路４には、電動機６よりも下流側で吸込口２側から吹出口３側に向かうにしたがって断面積が漸減するノズル部９が形成されている。ノズル部９は、ノズル傾斜部９Ａとノズル平坦部９Ｂとを有して構成される。ノズル傾斜部９Ａは、矢印Ｚに示す方向において羽根車５の回転軸５１を中心にして風路４を均等に絞り、風路４の断面積を漸減させるように傾斜状に形成されているものである。一方、ノズル平坦部９Ｂは、羽根車５の回転軸５１と平行に形成され、筐体１の吹出口３に接続されている。すなわち、ノズル平坦部９Ｂは、吹出口３側の端部から羽根車５に向かう一定の区間を回転軸５１に平行とした平行部である。
【００１９】
矢印Ｚに示す方向に並べて形成された吹出口３同士の間には、矢印Ｙに示す方向に延びるガイド部７が設けられている。このガイド部７が設けられていることにより、吹出口３は、第２の方向である矢印Ｙに示す方向に延びるように形成された、吹出口３Ａ及び吹出口３Ｂの２手に分割されている。ガイド部７は、Ｘ方向及びＺ方向に平行な断面において、ガイド部７のＺ方向における中心位置を頂点とする円弧状に形成されたガイド凸部７Ａと、ガイド凸部７Ａの上流側に形成されたガイド平坦部７Ｂとを有している。
【００２０】
ガイド凸部７Ａは、矢印Ｙに示す方向に沿って見た場合に、吹出口３から電動機６側に離れるほど矢印Ｚに示す方向に沿った幅が狭くなる。風路４のノズル平坦部９Ｂと対向するガイド平坦部７Ｂは、ノズル平坦部９Ｂと平行になっている。ガイド部７は、全体として、複数の回転軸５１を含む平面を挟んで対称な形状で形成されている。
【００２１】
羽根車５には、第１の回転方向Ｒ１に回転する第１の羽根車５Ａと、第１の回転方向Ｒ１とは逆向きの第２の回転方向Ｒ２に回転する第２の羽根車５Ｂとがある。電動機６には、第１の回転方向に第１の羽根車５Ａを回転させる第１の電動機６Ａと、第２の回転方向に第２の羽根車５Ｂを回転させる第２の電動機６Ｂとがある。第１の羽根車５Ａは、第１の電動機６Ａに取り付けられて、第１の電動機６Ａとともに第１の送風ユニット８０Ａを構成する。第２の羽根車５Ｂは、第２の電動機６Ｂに取り付けられて、第２の電動機６Ｂとともに第２の送風ユニット８０Ｂを構成する。第１の送風ユニット８０Ａと第２の送風ユニット８０Ｂとは、矢印Ｙに示す方向において交互に設置される。第１の送風ユニット８０Ａと第２の送風ユニット８０Ｂとからは、風量および風速が同じ気流が送風される。
【００２２】
［動作説明］
このように構成された送風機１００は、筐体１の両端に設けられた取付足１０によって建物の壁面または天井などに取り付けられる。羽根車５が回転することで、図２の矢印Ｆにて示すように、保護ガード８のスリットの隙間から空気が送風機１００内に流入する。送風機１００内に流入する空気の気流は、各吸込口２から各風路４内に流入する。各風路４に流入した気流は、羽根車５により静圧と動圧を付加させられる。羽根車５を過ぎた気流は、ガイド部７およびノズル部９の作用により二手に分割されて、吹出口３Ａと吹出口３Ｂとから吹き出される。
【００２３】
羽根車５を過ぎた気流は、羽根車５の回転により、羽根車５と同じ回転方向の旋回成分を持つ。
【００２４】
図４は、実施の形態１にかかる送風機１００の吹出口から吹出す気流の模式図であり、（ａ）は、送風機を吹出口３側から見た図であり、（ｂ）は、送風機をＺ方向における一方側から見た図である。本実施の形態１にかかる送風機１００では、上述したように、第１の回転方向Ｒ１に回転する第１の羽根車５Ａを有する第１の送風ユニット８０Ａと、第１の回転方向Ｒ１とは逆向きの第２の回転方向Ｒ２に回転する第２の羽根車５Ｂを有する第２の送風ユニット８０Ｂとが、矢印Ｙに示す第２の方向において交互に設置されている。
【００２５】
吹出口３から吹き出される気流は、第１の羽根車５Ａの回転による旋回成分および第１の羽根車５Ａの回転による旋回成分により、矢印Ｘに示す第１の方向の成分だけでなく矢印Ｙに示す第２の方向の成分を持つ。このため、図４（ｂ）に示すように、吹出口３Ａから吹き出される吹出気流ＦＡと、吹出口３Ｂから吹き出される吹出気流ＦＢとは、気流の主たる吹出方向であるＸ方向に対してＹ方向に傾いて吹き出される。第１の送風ユニット８０Ａと第２の送風ユニット８０Ｂとからは、風量および風速が同じ気流が送風される。
【００２６】
本実施の形態１にかかる送風機１００では、吹出口３Ａから吹き出される吹出気流ＦＡには、第１の送風ユニット８０Ａから送風されて吹出口３Ａから吹き出される吹出気流ＦＡである吹出気流ＦＡＡと、第２の送風ユニット８０Ｂから送風されて吹出口３Ａから吹き出される吹出気流ＦＡである吹出気流ＦＢＡがある。また、送風機１００では、吹出口３Ｂから吹き出される吹出気流ＦＢには、第１の送風ユニット８０Ａから送風されて吹出口３Ｂから吹き出される吹出気流ＦＢである吹出気流ＦＡＢと、第２の送風ユニット８０Ｂから送風されて吹出口３Ｂから吹き出される吹出気流ＦＢである吹出気流ＦＢＢとがある。
【００２７】
また、送風機１００では、隣り合った第１の送風ユニット８０Ａと第２の送風ユニット８０Ｂとから送風されて吹出口３Ａから吹き出される吹出気流ＦＡにおいて、図４（ｂ）に示すように吹出気流ＦＡＡと吹出気流ＦＢＡとは、矢印Ｙに示す第２の方向への傾きが逆向きになる。同様に、送風機１００では、隣り合った第１の送風ユニット８０Ａと第２の送風ユニット８０Ｂとから送風されて吹出口３Ｂから吹き出される吹出気流ＦＢにおいて、図４（ｂ）に示すように、吹出気流ＦＡＢと吹出気流ＦＢＢとは、矢印Ｙに示す第２の方向への傾きが逆向きになる。
【００２８】
そして、図４（ｂ）に示すように、吹出気流ＦＡＡと吹出気流ＦＢＡとが衝突して、吹出気流ＦＡｃが生成される。吹出気流ＦＡｃは、帯状の気流となって矢印Ｘに示す第１の方向において送風機１００から離れる方向に流れる。同様に、図４（ｂ）に示すように、吹出気流ＦＡＢと吹出気流ＦＢＢとが衝突して、吹出気流ＦＢｃが生成される。吹出気流ＦＢｃは、帯状の気流となって矢印Ｘに示す第１の方向において送風機１００から離れる方向に流れる。
【００２９】
吹出気流ＦＡｃでは、衝突した吹出気流ＦＡＡと吹出気流ＦＢＡとにおける旋回成分が打ち消しあうことになり、矢印Ｙに示す第２の方向への傾きが抑制されることにより流れの風速のＸ方向成分が増大することになる。これにより、吹出口３Ａから吹き出されて矢印Ｘに示す第１の方向において送風機１００から離れる方向に流れる帯状の気流の到達距離の向上が図れる。同様に、吹出気流ＦＢｃでは、衝突した吹出気流ＦＡＢと吹出気流ＦＢＢとにおける旋回成分が打ち消しあうことになり、矢印Ｙに示す第２の方向への傾きが打ち消されることにより流れの風速のＸ方向成分が増大することになる。これにより、吹出口３Ｂから吹き出されて矢印Ｘに示す第１の方向において送風機１００から離れる方向に流れる帯状の気流の到達距離の向上が図れる。したがって、送風機１００から吹き出されて矢印Ｘに示す第１の方向において送風機１００から離れる方向に流れる帯状の気流全体の到達距離の向上が図れる。
【００３０】
これにより、送風機１００を、大型化された出入口に対応可能なエアーカーテン、または大空間内の空気を撹拌させるサーキュレーションなどに用いることができる。
【００３１】
なお、上記においては、第１の送風ユニット８０Ａと第２の送風ユニット８０Ｂとからは風量および風速が同じ気流が送風されるため、吹出気流ＦＡｃおよび吹出気流ＦＢｃでは、矢印Ｙに示す第２の方向への傾きが互いに打ち消されている。
【００３２】
一方、第１の送風ユニット８０Ａと第２の送風ユニット８０Ｂとから風量および風速が異なる気流が送風された場合でも、吹出気流ＦＡｃおよび吹出気流ＦＢｃにおける矢印Ｙに示す第２の方向への傾きが抑制されることにより流れの風速のＸ方向成分が増大することになる。したがって、この場合も、第１の送風ユニット８０Ａと第２の送風ユニット８０Ｂとから風量および風速が同じ気流が送風される場合ほどではないが、吹出口３から吹き出されて矢印Ｘに示す第１の方向において送風機１００から離れる方向に流れる帯状の気流の到達距離の向上が図れる。
【００３３】
すなわち、上記の送風機１００の構成により、吹出口３から吹き出されて矢印Ｘに示す第１の方向において送風機１００から離れる方向に流れる帯状の気流の到達距離の向上が図れる。
【００３４】
一方、上記の送風機１００の構成において、送風ユニットに第１の送風ユニット８０Ａのみを用いた場合には、すべての第１の送風ユニット８０Ａの第１の羽根車５Ａの回転方向が同じであるため、各々の第１の送風ユニット８０Ａから送風される気流は矢印Ｙに示す第２の方向において同じ方向に傾いており、吹出口３Ａから吹き出される吹出気流ＦＡは全体で主たる吹出方向である矢印Ｘに示す第１の方向に対して矢印Ｙに示す第２の方向に傾いた流れとなる。同様に、吹出口３Ｂから吹き出される吹出気流ＦＢは全体で主たる吹出方向である矢印Ｘに示す第１の方向に対して矢印Ｙに示す第２の方向に傾いた流れとなる。
【００３５】
そして、吹出気流ＦＡと吹出気流ＦＢとの傾きの方向は、矢印Ｙに示す第２の方向において逆の方向となる。吹出口３Ａおよび吹出口３Ｂから吹き出された気流は、主たる吹出方向である矢印Ｘに示す第１の方向に対して矢印Ｙに示す第２の方向に傾いた流れとなっている。この場合、吹出口３Ａおよび吹出口３Ｂから吹き出された気流の風速の矢印Ｘに示す第１の方向の成分は、上述した吹出気流ＦＡｃおよび吹出気流ＦＢｃに対して、すなわち吹出口３Ａおよび吹出口３Ｂから吹き出されて主たる吹出方向である矢印Ｘに示す第１の方向に対して矢印Ｙに示す第２の方向に傾いていない流れに対して、小さくなる。
【００３６】
［送風機１００の設置例］
図５は、実施の形態１にかかる送風機１００をエアーカーテンに利用した場合の模式図である。送風機１００は、図５に示すように、例えば建物５０の出入口５０ａなど三方枠の上部横枠に、吹出口３が下側に向くように設置される。送風機１００は、吹出口３から吹き出される帯状気流Ｆ１により、建物５０の出入口５０ａから出入りする空気の流れを遮断するエアーカーテンとして利用することができる。例えば、建物内で冷暖房している場合には、建物内の冷気、暖気が建物外に逃げてしまうことを抑制することができ、冷暖房効率が低減してしまうことを抑制することができる。
【００３７】
図６は、実施の形態１にかかる送風機１００を空気搬送に利用した場合の模式図である。送風機１００は、図６に示すように、例えば建物５０内の天井面または壁面などに設置される。送風機１００は、建物５０の壁面に設置された換気扇１７Ａにより室内に取り込まれた新鮮外気を、帯状気流Ｆ２として、送風機１００を挟んで反対側の壁面の排気用の換気扇１７Ｂに向かわせ搬送するために使用することができる。
【００３８】
図７は、実施の形態１にかかる送風機１００をサーキュレーションに利用した場合の模式図である。送風機１００は、図７に示すように、例えば空調機１８が設けられた建物５０内の天井面または壁面などに設置される。送風機１００は、帯状気流Ｆ３を放出することで、空調機１８から建物５０内に吹き出された空調空気を撹拌するためのサーキュレーションに使用することができる。
【００３９】
図８は、実施の形態１にかかる送風機１００を涼風の生成用に利用した場合の模式図である。送風機１００は、図８に示すように、建物５０の天井面または壁面に設置されて、建物５０内に居る人に対して帯状気流Ｆ４を当てることにより、涼風感を与える涼風を生成する送風機に使用することができる。
【００４０】
［本実施の形態１にかかる送風機１００の有する効果］
本実施の形態１にかかる送風機１００は、第１の回転方向Ｒ１に回転する第１の羽根車５Ａを持つ第１の送風ユニット８０Ａと、第２の回転方向Ｒ２に回転する第２の羽根車５Ｂを持つ第２の送風ユニット８０Ｂとが矢印Ｙに示す第２の方向において交互に設置される。そして、送風機１００は、第２の方向への傾きが逆向きになる吹出気流を生成させ、吹き出した気流同士が衝突することで、気流同士の旋回成分が打ち消しあう。これにより、吹出口３から吹き出された吹出気流の第２の方向への傾きが打ち消されまたは抑制され、風速の矢印Ｘに示す第１の方向の成分を増大させることで、吹出される帯状の気流の到達距離の向上が図れる。
【００４１】
したがって、送風機１００をエアーカーテンとして用いた場合には、空気遮断能力を向上させることができる。また、送風機１００を空気搬送用途に用いた場合には、より遠くに空気を搬送することができる。また、送風機１００をサーキュレーション用途に用いた場合には、気流の到達距離をより大きくすることができるので、建物内の空気の撹拌がより効率的になされる。また、送風機１００を涼風の生成用に用いた場合には、使用者に対して涼風感をより与えることができる。
【００４２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４３】
１  筐体、２  吸込口、３  吹出口、４  風路、５  羽根車、５Ａ  第１の羽根車、５Ｂ  第２の羽根車、６  電動機、６Ａ  第１の電動機、６Ｂ  第２の電動機、７  ガイド部、７Ａ  ガイド凸部、７Ｂ  ガイド平坦部、８  保護ガード、９  ノズル部、９Ａ  ノズル傾斜部、９Ｂ  ノズル平坦部、１０  取付足、１５  保持部、１７Ａ，１７Ｂ  換気扇、１８  空調機、２１Ａ  縮径部、５０  建物、５０ａ  出入口、５１  回転軸、５２  ボス部、５３  羽根部、８０  送風ユニット、８０Ａ  第１の送風ユニット、８０Ｂ  第２の送風ユニット、Ｆ１，Ｆ２，Ｆ３，Ｆ４  帯状気流、ＦＡ，ＦＡＡ，ＦＡＢ，ＦＡｃ，ＦＢ，ＦＢＡ，ＦＢＢ，ＦＢｃ  吹出気流、Ｒ１  第１の回転方向、Ｒ２  第２の回転方向。
【図１】
2020101119.tif 000003
【図２】
2020101119.tif 000004
【図３】
2020101119.tif 000005
【図４】
2020101119.tif 000006
【図５】
2020101119.tif 000007
【図６】
2020101119.tif 000008
【図７】
2020101119.tif 000009
【図８】
2020101119.tif 000010